(57)【要約】【課題】磁気ヘッドのポップコーンノイズを良好に測定または良否判定することができる磁気ヘッドの検査方法および検査装置を提供する。【解決手段】再生用素子としてのＧＭＲ素子１３に対して磁気ディスクを対向させていない状態で、ＧＭＲ素子１３の再生信号の波形を観察し、この波形を時間軸で区切って複数の領域に分割し、各領域のプラス方向の波形の面積に対応する値とマイナス方向の波形の面積に対応する値との差に基づいて、ポップコーンノイズの測定または有無判定を行う。これにより、ポップコーンノイズを正確に測定したり検出したりすることができ、ポップコーンノイズの発生し難い磁気ヘッドを提供することが可能となる。【選択図】図１
2008251080.tif 000002
【特許請求の範囲】
【請求項１】
再生用素子を有する磁気ヘッドの検査方法であって、磁気ヘッドに対して磁気記録媒体を対向させていない状態で、再生用素子の再生信号の波形を観察する再生観察ステップと、この再生観察ステップで得た波形を時間軸で区切って複数の領域に分割する領域分割ステップと、各領域のプラス方向の波形の面積に対応する値とマイナス方向の波形の面積に対応する値との差に基づいて、ポップコーンノイズの測定または有無判定を行う測定または判定ステップとを有することを特徴とする磁気ヘッドの検査方法。
【請求項２】
測定または判定ステップにおいて、各領域のプラス方向の波形の面積の平均２乗の値とマイナス方向の波形の面積の平均２乗の値との差に基づいて、ポップコーンノイズの測定または有無判定を行うことを特徴とする請求項１に記載の磁気ヘッドの検査方法。
【請求項３】
少なくとも２種類の領域の分割時間により領域分割ステップを実行し、分割後の結果を比較してポップコーンノイズの測定または有無判定を行うことを特徴とする請求項１または２に記載の磁気ヘッドの検査方法。
【請求項４】
磁気ヘッドに設けられた記録用素子に電流を供給しない状態と、前記記録用素子に電流を供給している状態との、各状態で再生用素子の再生信号の波形を観察し、これらの波形に基づいて、ポップコーンノイズの測定または有無判定を行うことを特徴とする請求項１〜３の何れかに記載の磁気ヘッドの検査方法。
【請求項５】
再生用素子を有する磁気ヘッドを検査する検査装置であって、再生用素子に対して磁気記録媒体を対向させていない状態での再生用素子の再生信号を観察する波形観察装置と、この再生観察ステップで得た波形を時間軸で区切って複数の領域に分割し、各領域のプラス方向の波形の面積に対応する値とマイナス方向の波形の面積に対応する値との差に基づいて、ポップコーンノイズの測定または有無判定を行う制御手段とを備えていることを特徴とする磁気ヘッドの検査装置。
【請求項６】
磁気信号を記録する記録用素子と磁気信号を再生する再生用素子とを有する磁気ヘッドを検査する磁気ヘッドの検査装置であって、前記記録用素子に電流を供給する電流供給源と、磁気ヘッドに対して磁気記録媒体を対向させていない状態での再生用素子の再生信号を観察する波形観察装置と、前記記録用素子への電流の供給を断続する切替スイッチと、前記記録用素子に電流を供給しない状態と、前記記録用素子に電流を供給した状態との、各状態での再生用素子の再生信号から得た波形を時間軸で区切って複数の領域に分割し、各領域のプラス方向の波形の面積に対応する値とマイナス方向の波形の面積に対応する値との差に基づいて、記録用素子への通電時と非通電時とのポップコーンノイズの測定または有無判定を行う制御手段とを備えたことを特徴とする磁気ヘッドの検査装置。
【請求項７】
波形観察装置に、電気回路ノイズとポップコーンノイズとを周波数で分離する周波数フィルタを搭載したことを特徴とする請求項５または６に記載の磁気ヘッドの検査装置。
【発明の詳細な説明】
【技術分野】
【０００１】
本発明は、磁気記録媒体を記録媒体として用いる記録再生装置において、再生用の磁気ヘッドとして用いられる磁気抵抗効果型の磁気ヘッドの安定性検査であるポップコーンノイズを測定または有無判定する磁気ヘッドの検査方法および検査装置に関する。
【背景技術】
【０００２】
従来から、磁気抵抗効果素子（以下、ＧＭＲ素子と称す）の磁気抵抗効果を利用して、磁気記録媒体に記録された信号を読み取る磁気抵抗効果型の磁気ヘッドが普及しており、ハードディスク装置などの再生用の磁気ヘッドとして広く使用されている。
【０００３】
この種の磁気ヘッドのＧＭＲ素子は記録密度の上昇により、より狭いトラック幅が求められており、また、この高容量化に伴ってより高い抵抗変化率が求められている。しかし一方で、このような高い抵抗変化率の磁気抵抗効果型の磁気ヘッドは、静電気や過電流などの熱ストレスに対する耐力が低下することになる。これらの現象は、ＧＭＲ素子の不安定性に大きく起因して悪影響を与えるので、ポップコーンノイズやそれに類似する波形変動を有効に抑制することが重要となる。そのためＧＭＲ素子は、一般的には、ＧＭＲ素子の両端に永久磁石を備え、ＧＭＲ素子の磁気容易軸方向にバイアス磁界をかけることでＧＭＲ素子の軸安定化を図っている。
【０００４】
従来の磁気ヘッドのポップコーンノイズの測定方法としては、再生波形が隣接ビットと接触する周波数で記録・再生動作を複数回繰り返し行い、正常磁気ヘッドの測定値から予め設定した補足閾値を用いて、その補足閾値を超える波形ピークをポップコーンノイズとして超越回数をカウントして判定したり、記録再生を複数回行うことで得られる１トラック分の出力平均（以下、ＴＡＡと呼ぶ）の標準偏差を、ＴＡＡの平均値で割ったＴＡＡ変動（ＣＯＶ：Ｃｏｅｆｆｉｃｉｅｎｔ  Ｏｆ  Ｖａｒｉａｔｉｏｎ）を算出して判定したりする方法などがある。
【０００５】
また、前記の測定手順から算出された複数回の測定から得られたＴＡＡデータの内、全測定結果中より最もエラーレートの高かったときの値をデータとし判定するという方法などもある。（例えば、特許文献１参照。）
【特許文献１】特開平１１−５３７１４号公報
【発明の開示】
【発明が解決しようとする課題】
【０００６】
しかしながら、前記従来の手法では、複数回に渡り測定した１トラック分の出力平均（以下、ＴＡＡと呼ぶ）のピーク値を捕捉閾値を用いてカウントしたり、また、ピーク検出法によりエラーレートを算出したりする方法であり、ポップコーンノイズにより通常ＴＡＡよりもより高いＴＡＡが得られないと検出できない方法であった。また、捕捉閾値の設定は非常に困難であり、捕捉閾値の設定を誤った場合は本来良品であるはずの磁気ヘッドまで不良判定される可能性もあり、捕捉閾値の適切な設置には多くの手間や時間を費やしていた。
【０００７】
また、ポップコーンノイズは発生頻度は非常に低くて不定期であるが、稀に頻繁にポップコーンノイズが頻発するものもあり、これらの磁気ヘッドをＴＡＡ変動（ＣＯＶ）方法で測定した場合、複数回繰り返す大半のデータにポップコーンノイズの影響を含むために標準偏差が低くなり、中和されることで不良でありながら検出が出来ないという問題があった。
【０００８】
本発明は、前記従来の課題を解決するもので、磁気ヘッドのポップコーンノイズを良好に測定または良否判定することができる磁気ヘッドの検査方法および検査装置を提供することを目的とする。
【課題を解決するための手段】
【０００９】
本発明は、磁気ヘッドに対して磁気記録媒体を対向させていない状態で、再生用素子の再生信号の波形を観察することで、磁気記録媒体に起因するノイズの影響を除外することができるとともに、外部磁場による再生用素子の抵抗変化が無くて再生信号の出力を基本的に０とすることができる。
【００１０】
また、ポップコーンノイズの発する異常波形は方向性を持っていることから、ポップコーンノイズ測定の記録波形を任意の時間軸で区切って複数のＷｉｎｄｏｗ（領域：以下、ウィンドウと称す）に分割した後、出力の０のレベルからプラス方向とマイナス方向とに分波する。その後、分波の軌跡を基に基準出力０からの面積を求めることでポップコーンノイズ波形を数値に置き換えて定量化したり、ポップコーンノイズの有無判定をより正確に行ったりすることが可能となる。
【００１１】
さらに、少なくとも２種類の領域の分割時間により領域分割ステップを実行し、分割後の結果を比較することで、例えば、孤立波のような頻度の低いポップコーンノイズについても検出できる。
【００１２】
すなわち、個々のウィンドウ面積の平均２乗のプラス側とマイナス側のノイズを足した値を、ポップコーンノイズおよび電気回路ノイズを含む全体ノイズ値と定義し、前記の全体ノイズ値からプラス側やマイナス側のポップコーン値を差し引いた値の差を一般的な電気回路ノイズとする。これにより、ポップコーンノイズの値と、全体ノイズの値と、一般的な電気回路ノイズとを区分して、測定することができる。つまり、ポップコーンノイズは一定の方向性をもって出現するため、前記区分が可能となり、これにより、総合的なノイズ値とポップコーンノイズ値とを分類し、これらのノイズを定量的に測定できるとともに、ポップコーンノイズの有無判定も良好に行うことができる。
【００１３】
また、磁気信号を記録する記録用素子と磁気信号を再生する再生用素子とを備えた磁気ヘッドにおいて、前記記録用素子に電流を供給する電流供給源と、再生用素子に対して磁気記録媒体を対向させていない状態での再生用素子の再生信号を観察する波形観察装置と、前記記録用素子への電流の供給を断続する切替スイッチと、制御手段とを備えて、磁気ヘッドに設けられた記録用素子に電流を供給しない状態と、磁気ヘッドに設けられた記録用素子に電流を供給した状態との、各状態での再生用素子の再生信号から得た波形を時間軸で区切って複数の領域に分割し、各領域のプラス方向の波形の面積に対応する値とマイナス方向の波形の面積に対応する値との差に基づいて、記録用素子への通電時と非通電時とのポップコーンノイズの測定または有無判定を行うことで、記録用素子に電流を供給しない状態と、記録用素子に電流を供給している状態との、各状態でのポップコーンノイズの測定または有無判定を良好に行うことができ、記録用素子から発せられる漏れ磁束による影響も観測することができる。
【発明の効果】
【００１４】
本発明の磁気ヘッドの検査方法および検査装置によれば、捕捉閾値やピーク検出法のようなカウントではなく、ノイズ波形そのものを数値化することができる。例えば、１トラックの出力平均（ＴＡＡ）を下回るポップコーンノイズ波形でも、予め数値化した安定した波形の値と比較することで検出が可能となった。
【００１５】
この磁気ヘッドの検査方法および検査装置の検出方法を使用して、ポップコーンノイズが発生する磁気ヘッドを排除することにより、ポップコーンノイズの発生し難い磁気ヘッドを磁気記録再生装置に提供することが可能となる。また、従来から課題であった良品と不良の数値による判断が可能となり、不良を良品、あるいは、良品を不良と誤判断することも減少し、磁気ヘッドひいては磁気記録再生装置の信頼性を向上させることができる。
【発明を実施するための最良の形態】
【００１６】
以下に、本発明の実施の形態を図面とともに詳細に説明する。
図１は、本発明の実施の形態に係る磁気ヘッドの検査方法を行う検査装置（安定性検査装置）の装置構成を簡略的に示す図である。なお、本発明の検査方法を実施するテスト環境は、温度２５℃で湿度６０％を保持させたクリーンルーム内とした。また、静電気に弱いＧＭＲ素子を破壊から保護するため、導電製材料を使った治具を用いることで、評価に対する精度を向上させた。
【００１７】
本発明の検査方法において、磁気ヘッド１１の再生対象となるメディア（磁気記録媒体：磁気ディスク）は必要とされず、検査対象となる磁気ヘッド１１が単独で検査装置に設置される。磁気ヘッド１１は、磁気信号を記録する記録用素子１２と、磁気信号を再生する再生用素子としてのＧＭＲ素子１３とを備えている。この磁気ヘッド１１を検査する検査装置は、記録用素子１２に電流を供給する電流供給源１４ａと、ＧＭＲ素子１３に電流を供給する電流供給源１４ｂと、記録と再生とを切り替える切替スイッチ１５と、ＧＭＲ素子（再生素子）１３からの出力波形を観察するためのオシロスコープ等よりなる波形観察装置１６と、制御部１０と、再生信号を増幅するアンプや記録信号を増幅するアンプなどを備えている。
【００１８】
なお、記録と再生とを切り替える切替スイッチ１５には、切り替えタイミングで発生するノイズや、再生と記録との何れかの動作中に電流供給が停止されているべき一方からの電気回路ノイズが加わらないように、電気回路上でのアース処理等が行われている。
【００１９】
本発明においては検査を行う際にメディアを使用しない。ここで、メディアがこの検査に不要な理由を説明する。すなわち、本件が、磁気ヘッド１１に起因するノイズの検出方法であるためであり、したがって、メディアに起因するノイズの影響を除外したいためである。このメディアに起因するノイズの影響とは、具体的には、メディアを回転させることにより生じる僅かな振動が磁気ヘッド１１とメディアとの間に存在する、浮上状態に影響されて異常な姿勢となり、ノイズの検出結果に影響を与えることであり、このような悪影響が作用することを防止するために、メディアを使用しない。
【００２０】
そして、メディアが無い状態で検査した場合は外部磁場によるＧＭＲ素子１３の抵抗変化が無く、ＧＭＲ素子１３の再生信号の出力は基本的に０であることが明確であるためである。逆の言い方とすると、ＧＭＲ素子１３が外部磁場を感知した場合、ＧＭＲ素子１３の磁化方向が変化して抵抗が変化することを利用したのがＧＭＲ素子の主な再生原理であることが理由である。
【００２１】
通常、ＧＭＲ素子１３を構成するそれぞれの磁性粒は個々に磁区を持っており、ＧＭＲ素子（ＧＭＲ膜）１３の両端に設けられた永久磁石によって磁化方向が固定されている。この磁気ヘッド１１が実際に使用される際には、ＧＭＲ素子１３にメディアなどからの外部磁界が印加されてＧＭＲ素子（ＧＭＲ膜）１３の両端に配設された永久磁石による磁場を越えると、徐々に外部磁場に影響された方向へ磁性粒の持つ磁区の磁化方向が変更する。よって、メディアが無い状態ではバイアス電流を流していてもＧＭＲ素子１３の抵抗変化は磁化の変化が無いために抵抗変化率は０％であるはずだが、ＧＭＲ素子膜内に部分的に欠陥を持つ異常なＧＭＲ素子の場合は、欠陥箇所の磁性粒の磁化方向が定まらず、絶えずノイズを発するという現象を伴ったり、記録用素子１２から発せられる漏れ磁束による影響で、ノイズを発するという現象がある。この記録用素子１２から発せられる漏れ磁束の影響を確認するために、切替スイッチ１５で記録と再生を切り替える機能が付加されている。
【００２２】
本発明の磁気ヘッドの検査方法（ポップコーンノイズの検査方法）は、上記のメディアが無い状態での連続再生によるＧＭＲ素子１３のみの連続再生検査と、メディアが無い状態での記録用素子１２からの漏れ磁束を考慮した検査との二通りに分けられる。すなわち、メディアが無い状態で、記録用素子１２に通電しない状態でＧＭＲ素子１３のみの連続再生信号の波形を波形観察装置１６により観察し、また、記録用素子１２に通電した状態でＧＭＲ素子１３の再生信号の波形を波形観察装置１６により観察する（再生観察ステップ）。
【００２３】
ここで、磁気ヘッド１１の配置構成について簡略的に説明する。図２に示すように、磁気ヘッド１１は、メディアの表面上を浮上するために設けられたスライダ４２の先端部に配置され、さらにスライダ４２は回動軸４１を中心にメディアの表面上を回動するアーム４３に支持されている。
【００２４】
なお、記録用素子１２とＧＭＲ素子１３とは、図３に示すように、シールド２３を隔てて縦に配列されている。図３は図２の点線部の拡大図である。
記録用素子１２とＧＭＲ素子１３とは、円形のメディア（磁気ディスク）の同一トラック上にオントラックする配列となるように予め設計されている。メディアの半径を考慮し、円形メディアの内周と外周とでほぼ同じ状態で同一トラック上に記録用素子１２とＧＭＲ素子１３をオントラックできるように、記録用素子１２とＧＭＲ素子１３との配列と、これらを含む磁気ヘッド１１の固定位置とメディアの固定位置とが設計されている。例えば、メディアの回転数が１００００ｒｐｍである３．５インチメディアを使用した場合、記録用素子１２とＧＭＲ素子１３とはディスク回転時の時間ズレが数ナノ秒しかない。上記のメディアサイズや動作状態の場合、記録用素子１２の通過後、僅か数ナノ秒後の同一トラックの同一Ｂｉｔ上をＧＭＲ素子１３が通過するのである。これを達成するために、実際の磁気ヘッド１１での記録用素子１２とＧＭＲ素子１３との位置関係も僅か数百ナノメートルしか離れていない構成とされている。この構成により、ＧＭＲ素子１３に対する、記録用素子１２による漏れ磁束の影響も年々大きくなることが安易に予測でき、このように記録用素子１２による漏れ磁束の影響を知るために磁気ヘッド１１の検査内容としてポップコーンノイズの検査を加えることが重要である。
【００２５】
また、上記の記録用素子１２とＧＭＲ素子１３との位置関係と、メディアと磁気ヘッド１１との取付位置とは、予め同一トラックに上手くオントラックさせる設計を施すことで記録再生装置の連続した記録再生動作の切替時に、磁気ヘッド１１の位置を大きく変動させる必要が無くなり、転送レート（応答性の良さ）の向上が達成できる。
【００２６】
図４は、前記再生観察ステップにおいて、波形観察装置１６により取得したプラス方向に発生したポップコーンノイズの検出波形を示している。図４ではポップコーンノイズは３１ａ、３１ｂ、３１ｃ、３１ｄの４つピークが見られる。なお、ポップコーンノイズ波形のプラスマイナスの方向性は図５に示す通りである。
【００２７】
前述の検出方法で発生した図４のポップコーンノイズ波形をどのように定量化を行っていくのかを以下に説明する。
図４に示す場合では、プラス方向に発生した４つのポップコーンノイズ以外に基準出力０の位置周辺に微小な一般的な電気回路ノイズ３２を見ることができる。また、図４に示すように、ポップコーンノイズの発生傾向として、個々の磁気ヘッド１１により、出力０の基準からプラス方向かマイナス方向かの何れかにポップコーンノイズの発生が集中することが解る。
【００２８】
図４に示す場合では、プラス方向に４点のポップコーンノイズピーク３１ａ、３１ｂ、３１ｃ、３１ｄが見られるが、これはポップコーンノイズが連続した一周期分のノイズではなく、方向性を持った単波での発生傾向があることを示している。このことから、連続した周期で発生するノイズについては電気回路の影響と考えられ、これらを区分して除去することでポップコーンノイズのみの波形成分を検出することができる。
【００２９】
この特徴を利用したポップコーンノイズの定量化の波形処理方法について以下に説明する。
図６は、図４に示したポップコーンノイズの波形を任意のＷｉｎｄｏｗ（領域：以下、ウィンドウと称す）で分割した状態を示す。この状態では、ポップコーンノイズの成分と一般的な電気回路のノイズ成分とが混在した状態であることから、ポップコーンノイズのみの定量化を行うことは困難な状態であり、一般的な電気ノイズを分離しなければ、精度の良い検査を提案することは難しい。この一般的な電気回路のノイズを除去するために下記の処理を制御部１０により行う。
【００３０】
個々に設定した任意のウィンドウ面積の平均２乗のプラス方向とマイナス方向の差をポップコーンノイズと定義し、個々の任意のウィンドウに示す波形面積２乗平均のプラス方向とマイナス方向を足した値を全体のノイズと定義し、この全体のノイズからプラス方向とマイナス方向の差であるポップコーンノイズを差し引いた結果が、一般的な電気回路ノイズと定義する。この定義によって図４で示した波形成分から一般的な電気回路ノイズとポップコーンノイズの成分とを分離することが可能である。
【００３１】
すなわち、前記再生観察ステップで得た波形を時間軸で区切って複数のウィンドウに分割し（領域分割ステップ）、この状態で、各ウィンドウのプラス方向の波形の面積に対応する値とマイナス方向の波形の面積に対応する値とを算出し、これらの値に対応する値の差に基づいて、ポップコーンノイズを検出して分離する。より具体的には、プラス方向の波形の面積の平均２乗の値とマイナス方向の波形の面積の平均２乗の値との差に基づいて、ポップコーンノイズを検出して分離する。
【００３２】
この方法を使用することで、電気回路が持っているノイズ成分とポップコーンノイズが持つノイズ成分とを分類することが可能となり、ポップコーンノイズそのものの波形のみを確実に抽出することが可能となる。
【００３３】
図７は、一般的な電気回路ノイズとポップコーンノイズとを分離した後のポップコーンノイズのみの波形を示すものである。また、図８は図７に示すＢ領域（ポップコーンノイズ波形３１ａ）の拡大図である。
【００３４】
図７で得られたポップコーンノイズのみの波形を図８に示しており、図８に示した、基準出力０の位置までの波形の面積を、指定された任意のウィンドウ範囲ごとに算出した。定量化を実施する方法としては座標による面積算出方法を使用したが、例えば、オシロスコープに付帯された機能を用いることでも定量化が可能である。
【００３５】
また、領域を時間軸で分割して分割ウィンドウを形成する際に、図９に示すように、基準出力０の部分である分割１、分割２のように分割された場合に、一般的な電気ノイズが各ウィンドウに分割されてしまい、このウインドウ範囲においてポップコーンノイズと誤判定されてしまうことがある。このような不具合を避けるため、図１０に示すように分割１、分割２と異なる分割時間すなわち、例えば分割１、分割２（波線部分）よりもノイズ波長の１／２分以上長い時間で分割して（分割３、分割４として）、同様な面積算出法によるノイズの測定を行い、それぞれ異なる分割条件におけるノイズを比較してもよく、これにより、該当するノイズが真のポップコーンノイズかどうか判定することができる。
【００３６】
なお、上記の場合は、さらに異なる分割時間で分割した場合を記載したが、ポップコーンノイズの出現タイミングが、ランダムであるため、前記分割時間は限定されるものではなく、分割ウインドウ範囲を自由に変更して、ポップコーンノイズを再度検査することも、ポップコーンノイズの検査精度を高める点で有効であることは言うまでもない。
【００３７】
なお、波形観察装置１６に、電気回路ノイズとポップコーンノイズとを周波数で分離する周波数フィルタを搭載してもよく、例えば、周波数が低いものを通して、周波数が高いものを通さない周波数フィルタを搭載してもよい。
【００３８】
本発明の検査方法用いることで、方向性を持ったポップコーンノイズの定量化を行うことが可能となり、従来の捕捉閾値を用いる方法に比べて検査精度を向上させることが可能となった。なお、周期的に発生するノイズ成分については一般的な電気回路ノイズとの切り分けが困難でありこの定量化の方式を用いることは困難であると考えられる。
【００３９】
前述までの手順や波形処理を行うことで、ポップコーンノイズの定量化を行うことが可能となり、さらに、制御部１０により、前記ポップコーンノイズのデータに基づいて、各磁気ヘッド１１に対してポップコーンノイズの発生の有無を判定してもよい。そして、ポップコーンノイズを発生する磁気ヘッド１１（あるいは、ポップコーンノイズを発生する頻度が高い磁気ヘッド１１や、発生するポップコーンノイズ成分が大きい磁気ヘッド１１）を排除することにより、ポップコーンノイズの発生し難い磁気ヘッド１１だけを磁気記録再生装置に提供することが可能となる。これにより、磁気ヘッド１１ひいては磁気記録再生装置の信頼性を向上させることができる。
【産業上の利用可能性】
【００４０】
本発明に係る磁気ヘッドの検査方法および検査装置によれば、ポップコーンノイズを定量化、または、ポップコーンノイズの有無判定を行え、磁気記録装置等へ安定した磁気ヘッドを供給する上で有用である。
【００４１】
また、本発明に係る磁気ヘッドの検査方法および検査装置は、方向性を持ったポップコーンノイズなどの定量化または有無判定が必要な他の磁気ヘッドを使用した磁気記録装置等の用途にも適用できる。
【図面の簡単な説明】
【００４２】
【図１】本発明の実施の形態に係る磁気ヘッドの検査装置の装置構成を概略的に示す図
【図２】磁気ヘッドの概略構成を示す図
【図３】図２における点線部の拡大図
【図４】プラス方向に発生したポップコーンノイズの検出波形を示す図
【図５】波形の方向性を示す図
【図６】図４に示す波形を任意のウィンドウで分割した状態を示す図
【図７】図４に示す波形から電気回路ノイズを除去した後のポップコーンノイズのみの波形図
【図８】図７における領域Ｂの拡大図
【図９】分割時間の設定例を示す図
【図１０】分割時間の変更例を示す図
【符号の説明】
【００４３】
１１  磁気ヘッド
１２  記録用素子
１３  ＧＭＲ素子（再生用素子）
１４ａ、１４ｂ  電流供給源
１５  切替スイッチ
１６  波形観察装置
３１ａ、３１ｂ、３１ｃ、３１ｄ  ポッポコーンノイズ波形
３２  電気回路ノイズ
【図１】
2008251080.tif 000003
【図２】
2008251080.tif 000004
【図３】
2008251080.tif 000005
【図４】
2008251080.tif 000006
【図５】
2008251080.tif 000007
【図６】
2008251080.tif 000008
【図７】
2008251080.tif 000009
【図８】
2008251080.tif 000010
【図９】
2008251080.tif 000011
【図１０】
2008251080.tif 000012